【手続補正書】
【提出日】平成17年4月8日(2005.4.8)
【手続補正１】
【補正対象書類名】明細書
【補正対象項目名】特許請求の範囲
【補正方法】変更
【補正の内容】
【特許請求の範囲】
【請求項１】
高い電子的周波数で動作するデスクトップ型イメージ関連装置におけるプリント回路アセンブリの取り付けシステムであって、
前記プリント回路アセンブリから接地への経路を提供するためのシャーシ要素と、
該シャーシ要素に形成され、てことして使用される前記プリント回路アセンブリ自体と相互に作用して、前記シャーシ要素に対して実質的に垂直の接近方向で該プリント回路アセンブリを強制的に挟む、相互作用手段であって、別個の固定手段を用いることなく該相互作用手段に隣接して有効な電気的接地を提供する、相互作用手段とを備えていることを特徴とする、取り付けシステム。
【請求項２】
高い電子的周波数で動作するデスクトップ型イメージ関連装置におけるプリント回路アセンブリの取り付けシステムであって、前記プリント回路アセンブリが第１及び第２のほぼ対向する縁部を有しており、
前記プリント回路アセンブリから接地への経路を提供するためのシャーシ要素と、
前記プリント回路アセンブリの前記第１の縁部の近傍にのみ該シャーシ要素に形成され、前記プリント回路アセンブリを前記シャーシ要素に強制的に係合させる、係合手段であって、別個の固定手段を用いることなく該係合手段に隣接して有効な電気的な接地を提供する、係合手段とを備えていることを特徴とする、取り付けシステム。
【請求項３】
高い電子的周波数で動作するデスクトップ型イメージ関連装置におけるプリント回路アセンブリの取り付けシステムであって、前記プリント回路アセンブリが第１及び第２のほぼ対向する縁部を有しており、
シャーシ要素と、
該シャーシ要素に形成され、前記プリント回路アセンブリをその第１の縁部近傍でのみ支持する、第１の隆起手段と、
該第１の隆起手段に隣接して前記シャーシ要素に形成され、前記プリント回路アセンブリの前記第１の縁部にのみ係合して捕捉する、保持手段と、
前記シャーシ要素に形成され、前記プリント回路アセンブリをその第２の縁部近傍で支持する、第２の隆起手段とを備えている、取り付けシステム。
【請求項４】
搬送時や家庭又は会社内で移動された際に機械的な衝撃荷重を受け、及びプリント回路基板を含むプリント回路アセンブリを有する、イメージ関連装置等で特に使用するための請求項３に記載の取り付けシステムであって、
前記保持手段が、前記プリント回路基板が該保持手段により捕捉されて固定手段により固定された際に該プリント回路基板をごく僅かに撓んだ状態で位置決めするような距離だけ、前記第１の隆起手段の垂直上方に隔置される、請求項３に記載の取り付けシステム。
【請求項５】
所定の厚さを有するプリント回路基板に特に使用するための請求項４に記載の取り付けシステムであって、
前記距離が、前記プリント回路基板の前記厚さよりもごく僅かに短く、
前記シャーシ要素が、ほぼ平坦で広範な領域を有しており、
前記第１及び第２の隆起手段が、前記厚さの方向と平行に前記シャーシ要素の前記ほぼ平坦で広範な領域から測定した場合にほぼ同じ高さを有している、請求項４に記載の取り付けシステム。
【請求項６】
前記プリント回路アセンブリを前記第１の隆起手段の近傍で前記シャーシ要素に保持する別個の固定手段が存在しない、請求項４に記載の取り付けシステム。
【請求項７】
高い電子的周波数で動作し、及び搬送時等に機械的な衝撃荷重を受ける、デスクトップ型イメージ関連装置であって、
第１及び第２のほぼ対向する縁部を有するプリント回路アセンブリと、
シャーシ要素と、
該シャーシ要素に形成され、前記プリント回路アセンブリをその第１の縁部近傍でのみ支持する、少なくとも１つの第１の隆起構造と、
該第１の隆起構造に隣接して前記シャーシ要素に形成され、前記プリント回路アセンブリの前記第１の縁部にのみ係合して捕捉する、少なくとも１つの保持構造と、
前記シャーシ要素に形成され、前記プリント回路アセンブリをその第２の縁部近傍で支持する、少なくとも１つの第２の隆起構造と、
前記プリント回路アセンブリをその第２の縁部近傍で前記シャーシ要素に固定する、１つ又は２つ以上の固定手段とを備えていることを特徴とする、デスクトップ型イメージ関連装置。
【請求項８】
高い電子的周波数で動作し、及び搬送時等に機械的な衝撃荷重を受ける、デスクトップ型イメージ関連装置であって、
第１及び第２のほぼ対向する縁部を有するプリント回路アセンブリと、
シャーシ要素と、
該シャーシ要素に形成され、前記プリント回路アセンブリをその第１の縁部近傍で支持する、少なくとも１つの第１の隆起構造と、
該第１の隆起構造に隣接して前記シャーシ要素に形成され、前記プリント回路アセンブリの前記第１の縁部に係合して捕捉する、少なくとも１つの保持構造と、
前記シャーシ要素に形成され、前記プリント回路アセンブリをその第２の縁部近傍で支持する、少なくとも１つの第２の隆起構造と、
前記プリント回路アセンブリをその第２の縁部近傍で前記シャーシ要素に固定する、１つ又は２つ以上の固定手段とを備えており、
前記プリント回路アセンブリが、前記固定手段を外し、該プリント回路アセンブリを傾斜させて前記保持構造との係合を解除し、及び該プリント回路アセンブリを移動させて該保持構造から引き離すことにより、該装置から取り外すことが可能であることを特徴とする、デスクトップ型イメージ関連装置。
【請求項９】
電子的な高い周波数で動作するイメージ関連装置内に取り付けられるプリント回路アセンブリの取り付け又は取り外しを行う方法であって、前記プリント回路アセンブリが、一対のほぼ対向する縁部を有しており、該装置が、保持手段及び隆起部分が形成されたシャーシを有しており、
前記保持手段と前記隆起部分の第１のグループとの間に前記プリント回路アセンブリの第１の縁部を挿入し、
次いで該プリント回路アセンブリを動作位置へと回転させて、
該プリント回路アセンブリの第２の縁部近傍で該プリント回路アセンブリを前記隆起部分の第２のグループに係合させ、及び、
前記保持手段と前記隆起部分の第１のグループとの間に前記プリント回路アセンブリの前記第１の縁部を挟ませ、
次いで前記プリント回路アセンブリを前記動作位置で固定し、又は、
以上のステップを全て逆に実施して前記プリント回路アセンブリを取り外す、という各ステップを含むことを特徴とする、方法。
【請求項１０】
プリント回路アセンブリのための取り付け装置であって、該プリント回路アセンブリの下側の前縁部に一対の互いに隔置された接地パッドが配設されており、
前記プリント回路アセンブリのための電気的接地経路を提供する金属製の基部を有するシャーシと、
正面の一対の互いに隔置されたボス部材であって、前記金属製の基部から上方へと延びて、前記プリント回路アセンブリの下側の前縁部の下方から支持する、ボス部材と、
正面の一対の互いに隔置された直立した保持手段であって、前記金属製の基部から上方へと延びて、前記プリント回路アセンブリの接地パッドを前記ボス部材に位置合わせするのを助け、及び前記プリント回路アセンブリを前記ボス部材に十分に固定するのを助けて、前記接地パッドから前記電気的接地経路への完成した電気的経路を提供する、保持手段とを備えており、
前記直立した保持手段の各々が、前記ボス部材の各々よりも大きな距離にわたり前記金属製の基部から上方に延びて、前記プリント回路アセンブリ及び接地パッドを該保持手段と前記ボス部材との間に挟み、これにより前記接地パッドを前記ボス部材に対して極めて堅く押圧させることを特徴とする、取り付け装置。